(57)【特許請求の範囲】
【請求項１】
ＣＡＴＶシステムの伝送路を流れる伝送信号を増幅する増幅回路と、
該増幅回路に電源供給を行う電源回路と、
を備えたＣＡＴＶ用増幅装置において、
当該装置を冷却するために当該装置に内蔵又は外付けされた放熱ファンの動作状態を検出する検出手段と、
該検出手段にて検出された前記放熱ファンの動作状態から前記放熱ファンが正常回転しているか否かを判定し、前記放熱ファンの回転不良を判定すると、前記電源回路から前記増幅回路への供給電力を通常時よりも低下させる供給電力低減手段と、
を備え、
前記増幅回路は、多段接続された複数の増幅回路からなり、
前記供給電力低減手段は、前記放熱ファンの回転不良判定時に、前記複数の増幅回路の内の一部の増幅回路への供給電力を低下させることを特徴とするＣＡＴＶ用増幅装置。
【請求項２】
前記電源回路は、前記増幅回路に加えて、前記放熱ファンにも電源供給を行うように構成され、
前記検出手段は、前記電源回路から前記放熱ファンに供給される電流を検出し、
前記供給電力低減手段は、前記検出手段にて検出された電流に基づき、前記放熱ファンの回転不良を判定することを特徴とする請求項１に記載のＣＡＴＶ用増幅装置。
【請求項３】
前記放熱ファンの回転不良判定時に前記供給電力低減手段が供給電力を低下させる増幅回路は、前記複数の増幅回路の内、電力消費量が最も多い出力段の増幅回路であることを特徴とする請求項１又は請求項２に記載のＣＡＴＶ用増幅装置。
【請求項４】
前記出力段の増幅回路は、歪消去回路を備え、
前記供給電力低減手段は、前記放熱ファンの回転不良判定時に、前記出力段の増幅回路に加えて、前記歪消去回路への供給電力をも低下させることを特徴とする請求項３に記載のＣＡＴＶ用増幅装置。
【請求項５】
前記供給電力低減手段は、前記放熱ファンの回転不良判定時に、前記電源回路から前記複数の増幅回路の内の一部の増幅回路への供給電圧を通常時よりも低下させる電圧降下手段からなることを特徴とする請求項１〜請求項４の何れか１項に記載のＣＡＴＶ用増幅装置。
【請求項６】
前記供給電力低減手段は、前記放熱ファンの回転不良判定時に、前記電源回路から前記複数の増幅回路の内の一部の増幅回路に流れ込む電流量を制限することを特徴とする請求項１〜請求項４の何れか１項に記載のＣＡＴＶ用増幅装置。
【請求項７】
前記供給電力低減手段は、前記放熱ファンの回転不良判定時に、前記複数の増幅回路の内の一部の増幅回路への供給電力を零にして該増幅回路の動作を停止させると共に、該動作を停止させた増幅回路を迂回して前記伝送信号を伝送するためのバイパス経路を形成することを特徴とする請求項１〜請求項４の何れか１項に記載のＣＡＴＶ用増幅装置。
【請求項８】
前記放熱ファンの回転不良を外部に報知する報知手段を備え、
前記供給電力低減手段は、前記回転不良判定時に、前記報知手段を駆動して前記放熱ファンの回転不良を外部に報知させることを特徴とする請求項１〜請求項７の何れか１項に記載のＣＡＴＶ用増幅装置。
【発明の詳細な説明】
【０００１】
【発明の属する技術分野】
本発明は、ＣＡＴＶ用増幅装置に関する。
【０００２】
【従来の技術】
従来より、ＣＡＴＶシステムでは、同軸ケーブルや光ケーブル等からなる伝送路に増幅装置を設置し、伝送線を流れる伝送信号（テレビ放送信号等）を増幅することで、端末側に所望レベルの伝送信号を伝送できるようにしている。
【０００３】
また、こうしたＣＡＴＶシステムで使用されるＣＡＴＶ用増幅装置では、内部の増幅回路が増幅動作（通電）により発熱するが、その温度が異常に上昇すると、増幅回路を構成しているトランジスタ等の増幅素子が劣化し、場合によっては動作しなくなることがあるので、筐体に放熱用のフィンを設けるというような所謂発熱対策が施されている。
【０００４】
そして、特に、大出力が要求される増幅装置では、出力段の増幅回路での消費電力が大きくなり、フィンを用いた自然放熱だけでは、増幅回路（素子）の過熱を防止できないことがあるので、増幅装置内、若しくは、その周囲（例えば、増幅装置が設置される収納ボックス等）に、強制冷却用の放熱ファンを設け、この放熱ファンによる送風によって、増幅回路（素子）の過熱を防止することも行われている。
【０００５】
【発明が解決しようとする課題】
しかしながら、上記のように放熱ファンを用いて増幅装置を強制冷却するようにした場合、放熱ファンが正常回転していれば問題ないが、放熱ファンへの給電線の断線、放熱ファン自体の故障又はゴミ詰まり等によって、放熱ファンが正常回転しなくなると、増幅回路（素子）の温度が上昇し、増幅素子が劣化或いは破壊してしまうということになる。
【０００６】
本発明は、こうした問題に鑑みなされたもので、増幅回路（素子）の発熱対策のために放熱ファンが内蔵又は外付けされたＣＡＴＶ用増幅装置において、放熱ファンの異常時に増幅回路（素子）を過熱から保護し、且つ、異常を使用者に速やかに知らせることができるようにすることを目的とする。
【０００７】
【課題を解決するための手段】
かかる目的を達成するためになされた請求項１記載のＣＡＴＶ用増幅装置には、多段接続された複数の増幅回路が設けられている。そして、供給電力低減手段が、検出手段にて検出された放熱ファンの回転状態から放熱ファンが正常回転しているか否かを判定し、放熱ファンの回転不良を判定すると、電源回路から複数の増幅回路の内の一部の増幅回路への供給電力を低下させる。
【０００８】
このため、本発明のＣＡＴＶ用増幅装置によれば、内蔵又は外付けされた放熱ファンの回転により増幅回路を強制冷却することができなくなった際に、複数の増幅回路の内の一部の増幅回路での発熱を抑えて、増幅回路を構成する増幅素子を熱から保護することができる。
【０００９】
また、増幅回路への供給電力を低下させれば、当該装置による伝送信号の増幅率（ゲイン）も低下するので、端末側には、テレビ放送信号等の伝送信号を適正レベルで伝送することができなくなる。従って、放熱ファンの回転不良時には、端末側でテレビ放送等を視聴していた利用者が、テレビ画像の劣化等からシステムの異常を把握できることになり、結果的に、増幅装置（延いては冷却ファン）の異常を速やかに報知できることになる。
【００１０】
ここで、検出手段としては、放熱ファンの回転状態を検出できればよく、例えば、放熱ファンに回転センサを設けて、その回転を直接検出するようにしてもよいし、或いは、放熱ファンにより冷却される増幅回路の温度を温度センサを用いて検出することにより、放熱ファンによる増幅回路の冷却状態から放熱ファンの回転状態を間接的に検出するようにしてもよい。
【００１１】
しかし、このような方法で放熱ファンの回転状態を検出するには、回転センサや温度センサ等の特別なセンサを別途設ける必要があることから、より好ましくは、請求項２に記載のように、電源回路から放熱ファンに電源供給を行うようにし、検出手段では、電源回路から放熱ファンに供給される電流を検出するようにするとよい。
【００１２】
つまり、このようにすれば、例えば、電源回路から放熱ファンへの給電経路上に電流検出用の抵抗を設けるだけで、放熱ファンの回転状態（電流）を検出することができ、供給電力低減手段では、その検出された電流から、放熱ファンの回転不良を判定できることになる。
【００１３】
尚、この場合、供給電力低減手段では、電源回路から放熱ファンへと電流が流れているか否かを判断することにより、放熱ファンの回転不良（回転停止）を判定するようにしてもよいが、より好ましくは、放熱ファンへの供給電流が予め設定された電流範囲にあるか否かを判断することにより、放熱ファンの回転不良を判定するようにするとよい。
【００１４】
つまり、例えば、上記のように放熱ファンへの給電経路に設けた抵抗を用いて放熱ファンへの供給電流を検出するようにした場合、検出手段から出力される検出信号は放熱ファンに流れた電流に対応して電圧が変化するたようになるが、この場合、供給電力低減手段を、その検出信号が判定電圧以上か否かをコンパレータ等を用いて判定するように構成することで、放熱ファンの回転不良を判定するようにしてもよい。しかし、このような判定方法では、放熱ファンへの給電経路若しくは放熱ファン自体が断線した場合の、放熱ファンの回転停止を検出することはできるが、放熱ファンの回転がゴミ等の障害物によって妨げられている場合の回転異常は検出することができない。
【００１５】
これに対して、上記のように、供給電力低減手段を、放熱ファンへの供給電流（電流検出に抵抗を用いた場合、検出信号の電圧）が正常範囲内にあるか否かを判定するように構成すれば、供給電力低減手段において、断線等により放熱ファンの回転が停止している場合だけでなく、放熱ファンへの給電経路がグランド側に短絡したり、或いは、放熱ファンの回転が障害物によって阻止されること等によって、放熱ファンに流れる電流が異常上昇した際にも、放熱ファンの回転不良を判定できるようになる。
【００１６】
従って、検出手段にて、放熱ファンに流れる電流を検出するようにした場合には、供給電力低減手段を、検出手段による検出電流が所定範囲内にあるか否かによって放熱ファンの回転不良を判定するように構成すれば、放熱ファンの回転不良によって生じる増幅回路の異常な温度上昇（延いては増幅素子の劣化若しくは破壊）を、より確実に防止することができるようになる。
【００１７】
またこのように放熱ファンの回転不良を判定するようにした場合、供給電力低減手段の動作によって、電源回路から放熱ファンへの電力供給を遮断するようにすれば、放熱ファンや電源回路を過電流から保護することもできる。
【００１８】
一方、本発明のＣＡＴＶ用増幅装置のように、増幅回路が、多段接続された複数の増幅回路から構成されている場合、最も消費電力が多くなる（換言すれば発熱量が多くなる）増幅回路は、通常、出力段に配置される増幅回路であることから、請求項３に記載のように、放熱ファンの回転不良判定時に出力段の増幅回路への供給電力を低下させるよう、供給電力低減手段を構成するとよい。
【００１９】
また、最近では、定格出力を大きくするために、出力段の増幅回路に歪消去回路（例えば、特開平１１−１７４６２号公報に記載のプリディストーション回路）を設けて、出力段の増幅回路から歪のない伝送信号を出力できるようにしたＣＡＴＶ用増幅装置も実用化されつつあるが、このような歪消去機能付きのＣＡＴＶ用増幅装置では、歪消去回路でも出力段の増幅回路と同程度の大電力が消費され、発熱量が多くなる。
【００２０】
従って、このような歪消去機能付きＣＡＴＶ用増幅装置においては、請求項４に記載のように、放熱ファンの回転不良判定時に、出力段の増幅回路への供給電力に加えて、歪消去回路への供給電力をも低下させるように、供給電力低減手段を構成するとよい。
【００２１】
一方、供給電力低減手段の動作によって増幅回路への供給電力を実際に低下させるには、例えば、請求項５に記載のように、放熱ファンの回転不良判定時に電源回路から複数の増幅回路の内の一部の増幅回路への供給電圧を通常時よりも低下させるように供給電力低減手段を構成するか、或いは、請求項６に記載のように、放熱ファンの回転不良判定時に電源回路から複数の増幅回路の内の一部の増幅回路に流れ込む電流量を制限するように供給電力低減手段を構成するとよい。
【００２２】
また、上記のように増幅回路が複数の増幅回路から構成されている場合には、請求項７に記載のように、放熱ファンの回転不良判定時に複数の増幅回路の内の一部の増幅回路への給電経路を遮断するように供給電力低減手段を構成してもよい。但し、供給電力低減手段にて一部の増幅回路への給電経路を遮断するようにした場合、給電経路が遮断された一部の増幅回路で伝送信号が遮断されてしまうことから、放熱ファンの回転不良判定時には、一部の増幅回路への電力供給を遮断するのと同時に、電力供給を遮断した増幅回路を迂回して伝送信号を伝送するためのバイパス経路を形成するよう、供給電力低減手段を構成する必要はある。
【００２３】
また次に、本発明（請求項１〜請求項７）では、放熱ファンの回転不良時に、供給電力低減手段が増幅回路への供給電力を通常時よりも低下させることによって、端末側での伝送信号のレベルを低下させ、その結果生じるテレビ画像の劣化等によって、利用者にＣＡＴＶ用増幅装置の異常（延いては放熱ファンの異常）を報知するが、このような報知方法では、利用者は、ＣＡＴＶシステムの異常を検知することができても、その異常がＣＡＴＶ用増幅装置（延いては放熱ファン）の異常であるか、或いは、他の伝送機器若しくは伝送路の異常であるかを、正確に判定することができない。
【００２４】
そこで、本発明（請求項１〜請求項７）のＣＡＴＶ用増幅装置としては、請求項８に記載のように、放熱ファンの回転不良を外部に報知する報知手段を設け、供給電力低減手段が放熱ファンの回転不良を判定した際には、単に増幅回路への供給電力を低下させるだけでなく、報知手段を駆動して放熱ファンの回転不良を外部に報知するように構成するとよい。
【００２５】
そして、このようにすれば、放熱ファンの回転不良を、積極的に外部に報知することができるようになり、利用者やシステム管理者は、放熱ファンの異常を、より確実且つ速やかに検知することができるようになる。
尚、報知手段としては、警報音によって異常を報知するようにしてもよく、或いは、警告ランプの点灯等により異常を光で視覚的に報知するようにしてもよく、或いは、その両方で異常を報知するようにしてもよい。
【００２６】
【発明の実施の形態】
以下に、本発明の実施形態を図面と共に説明する。
［第１実施例］
図１は、本発明が適用された第１実施例のＣＡＴＶ用増幅装置２の構成を表すブロック図である。
【００２７】
本実施例のＣＡＴＶ用増幅装置（以下単に増幅装置という）２は、例えば、マンション等の集合住宅において、テレビ放送信号を受信する受信アンテナからの受信信号若しくは地域のＣＡＴＶ網を介してＣＡＴＶセンタから伝送されてきたテレビ放送信号を増幅し、その増幅後の伝送信号を、集合住宅内の各家庭に配信するために用いられる、所謂棟内ＣＡＴＶシステム用の増幅装置である。
【００２８】
そして、この増幅装置２は、分岐器や分配器等のＣＡＴＶ用伝送機器、或いは、他の情報通信用の伝送機器と共に、集合住宅に設置された情報機器収納ボックスに収納されて使用される。尚、この情報機器収納ボックス内には、増幅装置２が発する熱を外部に放出したり、外気を増幅装置２に送風して増幅装置２を冷却するための放熱ファン４０が設けられる。
【００２９】
以下、この増幅装置２の構成を図１に沿って詳しく説明する。
図１に示すように、増幅装置２は、受信アンテナ若しくは地域のＣＡＴＶ網から伝送されてきたテレビ放送信号等の伝送信号を入力するための入力端子Ｔ１と、増幅後の伝送信号を集合住宅に配線された伝送路（一般に同軸ケーブル）に送出するための出力端子Ｔ２とを備える。
【００３０】
そして、入力端子Ｔ１に入力された伝送信号は、入力フィルタ１０を介して、入力段の増幅回路１２に入力されて、所定レベルまで増幅される。また、増幅回路１２で増幅された伝送信号は、当該増幅装置２による伝送信号の増幅率（ゲイン：利得）を調整するための利得調整回路（ＧＣ）１４に入力され、利得調整回路１４にて、当該増幅装置２の利得（換言すれば当該増幅装置２からの信号出力レベル）が設定値となるようにレベル調整された後、中段の増幅回路１６に入力され、更に、所定レベルまで増幅される。
【００３１】
また、増幅回路１６にて増幅された伝送信号は、歪消去回路であるプリディストーション回路１８を介して、出力段の増幅回路２０に入力され、この増幅回路２０にて更に所定の出力レベルまで増幅された後、出力フィルタ２２及び出力端子Ｔ２を介して、端末側の伝送路へと送出される。
【００３２】
ここで、プリディストーション回路１８は、増幅回路１６から入力される伝送信号に、出力段の増幅回路２０が発生する歪と同レベルの歪信号を重畳し、これを後段の増幅回路２０に入力することにより、出力段の増幅回路２０で生成される歪を伝送信号に重畳した歪信号で相殺させ、出力段の増幅回路２０から出力される歪を抑制する周知のものであり、出力段の増幅回路２０で生成される歪と同レベルの歪を生成するために、増幅回路２０と略同じ構成で略同じ消費電力の歪発生回路が内蔵されている（例えば前述の特開平１１−１７４６２号公報参照）。
【００３３】
次に、中段の増幅回路１６からプリディストーション回路１８に至る信号経路、及び、出力段の増幅回路２０から出力フィルタ２２に至る信号経路には、夫々、経路切換用の一対のスイッチＳ１，Ｓ２が設けられている。
この一対のスイッチＳ１，Ｓ２は、通常時は、中段の増幅回路１６とプリディストーション回路１８、及び、出力段の増幅回路２０と出力フィルタ２２、を夫々接続して、増幅回路１６からプリディストーション回路１８及び増幅回路２０を経て出力フィルタに至る伝送信号の信号経路を形成する。
【００３４】
そして、後述の制御回路２８から駆動信号が出力されると、この駆動信号により、増幅回路１６及び出力フィルタ２２を、プリディストーション回路１８及び増幅回路２０から遮断し、これら各回路１８，２０にて形成される信号経路を迂回するバイパス経路に接続する。つまり、上記一対のスイッチＳ１，Ｓ２は、制御回路２８から駆動信号を受けると、増幅回路１６から出力された伝送信号を、バイパス経路を介して、そのまま出力フィルタ２２に伝送させる。
【００３５】
一方、本実施例の増幅装置２には、上記各増幅回路１２，１６，２０や後述の制御回路２８等に電源供給を行うための電源回路２４が設けられている。この電源回路２４は、図示しない商用電源（ＡＣ１００Ｖ若しくはＡＣ２００Ｖ）から電源供給を受けて直流定電圧を生成し、その生成した直流定電圧を、増幅回路１２，１６，２０や制御回路２８に供給することで、これらを動作させるためのものである。
【００３６】
また、本実施例の増幅装置２には、情報機器収納ボックス内に設けられた増幅装置冷却用の放熱ファン４０に電源供給を行うための端子Ｔ３が設けられており、電源回路２４は、この端子Ｔ３を介して放熱ファン４０に供給する電源電圧も生成する。
【００３７】
尚、放熱ファン４０は、直流モータとその回転軸に組み付けられた送風用のファンとから構成されており、電源回路２４は、生成した直流定電圧を端子Ｔ３を介して放熱ファン４０に供給することで、放熱ファン４０（詳しくは直流モータ）を定電圧駆動する。
【００３８】
従って、放熱ファン４０が正常回転していれば、電源回路２４から端子Ｔ３を介して放熱ファン４０に至る給電経路には、略一定の駆動電流が流れることになり、その電流値が設定範囲から外れた際には、放熱ファン４０に何等かの異常が生じて、放熱ファン４０が正常回転していないことを検知できる。
【００３９】
そこで、本実施例の増幅装置２には、放熱ファン４０の回転状態を検出する検出手段として、電源回路２４から放熱ファン４０（詳しくは端子Ｔ３）に至る給電経路に直列接続された電流検出用抵抗を備えた電流検出回路２６が設けられており、この電流検出回路２６からの検出信号（放熱ファン４０の駆動電流に対応した電圧信号）を、制御回路２８に出力するようにされている。
【００４０】
そして、制御回路２８は、その検出信号が予め設定された所定電圧範囲内にあるか否かを判断することにより、放熱ファン４０が正常回転しているか否かを判断し、放熱ファン４０が正常回転していないと判断すると、上述の駆動信号を出力することにより、スイッチＳ１，Ｓ２の接点を、図１に示す通常位置から、増幅回路１６からの伝送信号をバイパス経路を介して出力フィルタ２２に伝送させる側へと切り替える。
【００４１】
また、本実施例の増幅装置２には、放熱ファン４０の回転不良（回転停止若しくは回転異常）を外部に報知するための報知手段として、警報音発生用のブザー３０ａと、異常を光の点滅により報知するための発光素子３０ｂとを備えた報知器３０が設けられ、更に、電源回路２４からプリディストーション回路１８及び出力段の増幅回路２０に至る給電経路上には、給電遮断用のスイッチＳ３が設けられている。
【００４２】
このスイッチＳ３は、通常時には、電源回路２４からプリディストーション回路１８及び出力段の増幅回路２０に至る給電経路を形成し、制御回路２８から駆動信号が出力されると、電源回路２４からプリディストーション回路１８及び出力段の増幅回路２０に至る給電経路を遮断し、代わりに、電源回路２４から報知器３０に至る給電経路を形成する。
【００４３】
即ち、本実施例において、制御回路２８は、電流検出回路２６からの検出信号に基づき放熱ファン４０の回転不良を判定すると、各スイッチＳ１，Ｓ２，Ｓ３に夫々駆動信号を出力することで、増幅回路１６から出力された伝送信号をバイパス経路を介して出力フィルタ２２にそのまま伝送させると同時に、プリディストーション回路１８及び出力段の増幅回路２０への供給電力を零にして、これらからの発熱量を零にし、更に、放熱ファン４０の異常を外部に報知するために報知器３０を動作させるのである。
【００４４】
従って、本実施例の増幅装置２によれば、放熱ファン４０自体、若しくは、当該装置２から放熱ファン４０に至る電源供給経路に何等かの異常が生じ、放熱ファン４０が正常に回転しなくなった際には、プリディストーション回路１８及び最終段の増幅回路２０での発熱を抑えて、増幅装置２に組み込まれた増幅素子等の各種半導体素子を熱から保護することができ、しかも、報知器３０の動作によって、放熱ファン４０の異常を周囲に報知することができる。
【００４５】
また、放熱ファン４０の回転不良時には、プリディストーション回路１８及び最終段の増幅回路２０を迂回するバイパス経路が形成されて、中段の増幅回路１６から出力された伝送信号が、出力フィルタ２２及び出力端子Ｔ２を介して、そのまま端末側の伝送路に送出させることから、報知器３０の動作による異常報知では、利用者やシステム管理者に放熱ファン４０の異常を報知できないような場合であっても、そのときテレビ放送を視聴している利用者に対して、テレビ画像の劣化によって増幅装置２の異常（延いては放熱ファン４０の異常）を確実に報知できる。
【００４６】
尚、本実施例において、制御回路２８及びスイッチＳ１〜Ｓ３は、本発明の供給電力低減手段に相当する。
［第２実施例］
図２は、本発明が適用された第２実施例のＣＡＴＶ用増幅装置４の構成を表すブロック図である。
【００４７】
本実施例のＣＡＴＶ用増幅装置（以下単に増幅装置という）４は、基本的には図１に示した第１実施例の増幅装置２と同様の構成をしており、異なる点は、放熱ファン４０の回転異常時にプリディストーション回路１８及び増幅回路２０への電力供給を遮断するのではなく、電源回路２４からこれら各部に供給される駆動電流を通常時よりも低下させて、その消費電力、延いては発熱量を抑えるために、スイッチＳ１，Ｓ２，Ｓ３の代わりに、電流制限回路３２及びスイッチＳ４を設けた点である。そこで、以下の説明では、この点についてのみ説明し、増幅装置４全体の詳細説明については省略する。
【００４８】
図２に示すように、本実施例の増幅装置４においては、増幅回路１６から出力された伝送信号は、常に、プリディストーション回路１８及び増幅回路２０を通って、出力フィルタ２２に伝送されるよう、第１実施例の増幅装置２からスイッチＳ１，Ｓ２が削除されているが、その代わりに、電源回路２４からプリディストーション回路１８及び増幅回路２０への電源供給経路に、制御回路２８から放熱ファン４０の回転不良判定時に出力される駆動信号によって動作する電流制限回路３２が設けられている。
【００４９】
この電流制限回路３２は、制御回路２８から駆動信号が出力されていないとき（換言すれば放熱ファン４０が正常回転しているとき）には、電源回路２４から引き出された電源ラインをそのままプリディストーション回路１８及び増幅回路２０に接続し、制御回路２８から駆動信号が出力されると、その給電経路上に電流制限用の抵抗を直列接続して、電源回路２４からプリディストーション回路１８及び増幅回路２０に供給される電流を通常時よりも低下させる。
【００５０】
このため、放熱ファン４０の回転不良時には、プリディストーション回路１８及び増幅回路２０での電力消費量が通常時よりも低下し、これらの発熱が抑制されることになる。また、この状態では、プリディストーション回路１８及び増幅回路２０は、通常時よりも少ない電流で動作するので、増幅回路２０（延いては増幅装置４）からの伝送信号の出力レベルは通常時よりも低下する。
【００５１】
このため、本実施例の増幅装置４においても、第１実施例の増幅装置２と同様、放熱ファン４０の回転不良時に、プリディストーション回路１８及び増幅回路２０での発熱を抑えて、増幅装置４に組み込まれた増幅素子等の各種半導体素子を熱から保護することができると共に、テレビ放送を視聴している利用者に対して、テレビ画像の劣化によって増幅装置２の異常（延いては放熱ファン４０の異常）を報知できることになる。
【００５２】
また、本実施例の増幅装置４には、第１実施例の増幅装置２と同様、報知器３０が設けられており、この報知器３０には、スイッチＳ４を介して、電源回路２４から電源供給がなされる。そして、このスイッチＳ４は、通常時は、開状態となって、報知器３０への電源供給経路を遮断する常開接点を有し、放熱ファン４０の回転不良判定時に制御回路２８から出力される駆動信号を受けて接点を閉じ、報知器３０への電源供給経路を形成する。
【００５３】
従って、本実施例の増幅装置４においても、第１実施例の増幅装置２と同様、放熱ファン４０の回転不良時には、報知器３０が動作して、その旨を、ブザー３０ａの鳴動及び発光素子３０ｂの点滅発光により、周囲に報知することができる。
【００５４】
尚、本実施例においては、制御回路２８、電流制限回路３２、及び、スイッチＳ４が、本発明の供給電力低減手段に相当する。
［第３実施例］
図３は、本発明が適用された第３実施例のＣＡＴＶ用増幅装置６の構成を表すブロック図である。
【００５５】
本実施例のＣＡＴＶ用増幅装置（以下単に増幅装置という）４は、基本的には図２に示した第２実施例の増幅装置４と同様の構成をしており、異なる点は、放熱ファン４０の回転異常時にプリディストーション回路１８及び増幅回路２０への供給電流（駆動電流）を低下させて、その消費電力、延いては発熱量を抑えるのではなく、電源回路２４から各増幅回路１２，１６，２０及びプリディストーション回路１８に供給される電源電圧を、通常時よりも降下させるために、電流制限回路３２の代わりに、降圧回路３４を設けた点である。そこで、以下の説明では、この点についてのみ説明し、増幅装置４全体の詳細説明については省略する。
【００５６】
図３に示すように、本実施例の増幅装置６においては、電源回路２４から増幅回路１２，１６，２０及びプリディストーション回路１８に電源供給を行うための電源ライン上に、降圧回路３４が設けられている。この降圧回路３４は、電源ラインに直列に設けられたスイッチング素子と、このスイッチング素子の各増幅回路側に設けられた電圧平滑用のコンデンサと、制御回路２８からの駆動信号に従いスイッチング素子をオン・オフさせる駆動回路と、から構成されている。
【００５７】
一方、制御回路２８は、放熱ファン４０の回転不良を判定していない通常時には、駆動回路に対して、スイッチング素子を連続的にオンさせる駆動信号を出力し、放熱ファンの回転不良を判定すると、駆動回路に対して、スイッチング素子を所定のデューティ比でオン・オフさせるためにパルス幅変調された駆動信号を出力する。
【００５８】
この結果、増幅回路１２，１６，２０及びプリディストーション回路１８は、放熱ファン４０の正常時には、電源回路２４にて生成された直流定電圧にて駆動され、逆に放熱ファン４０の回転不良時には、電源回路２４にて生成された直流定電圧が降圧回路３４の動作によって所定電圧まで降圧された直流電圧にて駆動されることになる。
【００５９】
このため、本実施例の増幅装置６においては、放熱ファン４０の回転不良時に、増幅装置６において伝送信号を増幅するのに使用される全ての増幅回路（増幅回路１２，１６，２０及びプリディストーション回路１８）での電力消費量が通常時よりも低下し、これらの発熱が抑制され、増幅装置４からの伝送信号の出力レベルは、通常時よりも低下することになる。
【００６０】
このため、本実施例の増幅装置６においても、第１，第２実施例の増幅装置２，４と同様、放熱ファン４０の回転不良時に、増幅装置６内での発熱を抑えて、増幅装置６に組み込まれた増幅素子等の各種半導体素子を熱から保護することができると共に、テレビ放送を視聴している利用者に対して、テレビ画像の劣化によって増幅装置２の異常（延いては放熱ファン４０の異常）を報知できることになる。
【００６１】
また、本実施例の増幅装置６には、第２実施例の増幅装置４と同様、報知器３０が設けられており、この報知器３０には、制御回路２８が放熱ファン４０の回転不良を判定した際、スイッチＳ４を介して、電源回路２４から電源供給がなされることから、放熱ファン４０の回転不良時を、報知器３０の動作によって、周囲に報知することができる。
【００６２】
尚、本実施例においては、制御回路２８、降圧回路３４、及び、スイッチＳ４が、本発明の供給電力低減手段に相当する。
以上、本発明を３つの実施例を挙げて説明したが、本発明は、上記実施例に限定されるものではなく、種々の態様を採ることができる。
【００６３】
例えば、上記各実施例では、説明を簡単にするために、ＣＡＴＶシステムの伝送路を端末側に流れる伝送信号（所謂下り信号）を増幅する増幅装置を例に採り、本発明を説明したが、本発明は、双方向ＣＡＴＶシステムにおいて端末側から伝送されてきた伝送信号（所謂上り信号）を増幅してセンタ装置側に送出する上り方向の増幅回路を内蔵した増幅装置であっても、上記実施例と同様に適用できるのはいうまでもない。
【００６４】
また、上記各実施例では、伝送信号（下り信号）を増幅する増幅回路として、入力段、中段、出力段の３種の増幅回路１２，１６，２０を備え、出力段の増幅回路２０には、歪除去用のプリディストーション回路１８が設けられた増幅装置について説明したが、これら増幅回路の接続段数は何段であってもよく、また、プリディストーション回路１８を備えていない、増幅装置であっても、本発明を適用することができる。
【００６５】
また更に、上記実施例では、放熱ファン４０は、増幅装置に対して外付けされるものとして説明したが、放熱ファン４０を内蔵した増幅装置であっても、上記実施例と同様に本発明を適用できる。
【図面の簡単な説明】
【図１】  第１実施例の増幅装置の構成を表すブロック図である。
【図２】  第２実施例の増幅装置の構成を表すブロック図である。
【図３】  第３実施例の増幅装置の構成を表すブロック図である。
【符号の説明】
２，４，６…増幅装置（ＣＡＴＶ用増幅装置）、１０…入力フィルタ、１２，１６，２０…増幅回路、１４…利得調整回路（ＧＣ）、１８…プリディストーション回路、２２…出力フィルタ、２４…電源回路、２６…電流検出回路、２８…制御回路、３０…報知器、３０ａ…ブザー、３０ｂ…発光素子、３２…電流制限回路、３４…降圧回路、４０…放熱ファン、Ｓ１〜Ｓ４…スイッチ。
【図１】
0004598980.tif 000002
【図２】
0004598980.tif 000003
【図３】
0004598980.tif 000004